(57)【要約】      （修正有）【課題】災害等において停電により急に暗闇になった場合でも誘導先を示す点字タイルを提供する。【解決手段】基板３と、基板の上面から突出し所定の間隔で配列された複数の突起部４と、を備える点字タイルであって、複数の突起部のうち、少なくとも一つの突起部４ａに蓄光層６が形成されている。突起部に蓄光層が形成されているため、停電で暗闇になった場合でも突起部が光り続け、それにより誘導先を示すことが可能となる。【選択図】図１
0003229683.tif 000002
【実用新案登録請求の範囲】
【請求項１】
基板と、該基板の上面から突出し所定の間隔で配列された複数の突起部と、を備える点字タイルであって、
前記複数の突起部のうち、少なくとも一つの突起部に蓄光層が形成されていることを特徴とする点字タイル。
【請求項２】
前記複数の突起部のそれぞれは断面がハーフドーム型に形成されており、
前記蓄光層は前記突起部の頂部に設けられていることを特徴とする請求項１に記載の点字タイル。
【請求項３】
前記複数の突起部のそれぞれは点状円形の突起部であり、
前記蓄光層は、配列された複数の突起部のうち中心に位置する突起部に形成されていることを特徴とする請求項１又は２に記載の点字タイル。
【請求項４】
前記複数の突起部のそれぞれは、平行に配置された線状短冊形の突起部であり、
前記蓄光層は、平行に配置された複数の突起部のうち内側に位置する突起部に形成されていることを特徴とする請求項１又は２に記載の点字タイル。
【請求項５】
前記基板は軟質樹脂製のシートからなることを特徴とする請求項１から４のいずれか一項に記載の点字タイル。
【考案の詳細な説明】
【技術分野】
【０００１】
本考案は、点字タイルに係り、特に、複数の突起部を有する点字タイルに関する。
【背景技術】
【０００２】
通路や駅のプラットホーム等においては、視覚障害者に通路状況を知らせるために、複数の突起を有する点字ブロック又は点字タイルを用いた誘導路が敷設されている（例えば、特許文献１参照）。また、近年において、点字タイルを用いた誘導路を視覚障害者だけでなく中・軽度の弱視者又は健常者にとっても利用価値を高めるものとしようとする動きがある。特に、近年では、災害が発生した場合、地域住民のみならず観光客等も安全な場所に素早く避難できることが重要となってきており、例えば停電等により急に暗闇になった場合、健常者でも周囲が見えなくなることから、避難場所への方角等、迅速な避難を可能とする手段が求められていた。
【先行技術文献】
【特許文献】
【０００３】
【特許文献１】特開２００９−１３８４５９号公報
【考案の概要】
【考案が解決しようとする課題】
【０００４】
従来の点字タイルは、明るい状況において触覚だけでなく視覚的にも誘導することはできるものの暗闇では見えなくなることから、そのままでは誘導のために使用することは難しい。そのため、暗闇でも誘導先を示す点字タイルを提供する。
【課題を解決するための手段】
【０００５】
前記課題は、本考案の点字タイルによれば、基板と、該基板の上面から突出し所定の間隔で配列された複数の突起部と、を備える点字タイルであって、前記複数の突起部のうち、少なくとも一つの突起部に蓄光層が形成されていることにより解決される。
【０００６】
以上の様に構築された本考案の点字タイルは、突起部に蓄光層が形成されているため、急に停電になった場合でも突起部が光り続け、それにより誘導先を示すことが可能となる。
【０００７】
また、前記複数の突起部のそれぞれは断面がハーフドーム型に形成されており、前記蓄光層は前記突起部の頂部に設けられているとよい。
断面をハーフドーム型にすることにより、点字タイルの上を歩いた場合でもつまずき難く、また、突起部の頂部に蓄光層が設けられていることで、光る部分を視認し易くすることができる。
【０００８】
また、前記複数の突起部のそれぞれは点状円形の突起部であり、前記蓄光層は、配列された複数の突起部のうち中心に位置する突起部に形成されているとよい。
突起部が点状円形の突起部であることから、点字タイルが警告ブロックであることを示し、暗闇で視認した人に注意喚起する位置であることを示すことができる。
また、中心に位置する突起部に形成することで、警告ブロックであることを提示しつつ少ない数の突起部のみに設けることで、全ての突起部に蓄光層を設けることと比較して製造コストを安価にすることができる。
【０００９】
また、前記複数の突起部のそれぞれは、平行に配置された線状短冊形の突起部であり、前記蓄光層は、平行に配置された複数の突起部のうち内側に位置する突起部に形成されているとよい。
突起部が線状短冊形の突起部であることでから、点字タイルが誘導ブロックであることを示し、暗闇で視認した人に進行方向を示すことができる。
また、蓄光層を内側に位置する突起部に設けることで、全ての突起部に蓄光層を設けることと比較して製造コストを安価にすることができる。
【００１０】
また、前記基板は軟質樹脂製のシートからなるとよい。
点字タイルの基板を軟質樹脂製シートとすることにより、例えば、コンクリート製の点字タイルと比較して埋設するため深い穴を掘削する必要がなくなり施工が容易になる。また、軟質樹脂製であることから貼り付けの作業も容易である。
【考案の効果】
【００１１】
本考案によれば、突起部に蓄光層が形成されているため、急に停電になった場合でも突起部が光り続け、それにより誘導先を示すことが可能となる。
【図面の簡単な説明】
【００１２】
【図１】本実施形態に係る点字タイルを示す斜視図であり、（ａ）は複数の点状円形突起のうち中央にある５つの点状円形突起に蓄光層を設けた場合を示す図、（ｂ）は中央にある９つの点状円形突起に蓄光層を設けた場合を示す図である。
【図２】（ａ）は図１（ａ）に示す点字タイルの平面図であり、（ｂ）は図２（ａ）のＢ−Ｂ線に沿った断面図、（ｃ）は図２（ａ）のＣ−Ｃ線に沿った断面図である。
【図３】点字タイルの別例を示す図であり、複数の線状短冊形突起に蓄光層を設けた場合を示す図で、（ａ）は、内側に位置する四つの線状短冊形突起に蓄光層を設けた場合を示す図、（ｂ）は、内側に位置する四つの線状突起部に蓄光層を設けた場合を示す図である。
【図４】（ａ）は図３に示す点字タイルの平面図、（ｂ）は図４（ａ）のＢ−Ｂ線に沿った断面図である。
【考案を実施するための形態】
【００１３】
以下、本考案の一実施形態（本実施形態）に係る点字タイルの構成ついて図面を参照しつつ説明する。なお、以下に説明する実施形態は、本考案の理解を容易にするための一例であり、本考案を限定するものではない。すなわち、本考案は、その趣旨を逸脱することなく、変更、改良され得ると共に、本考案にはその等価物が含まれることは勿論である。また、本明細書や図面中に記載された各部品の形状、材質及び大きさについても一例に過ぎず、本考案の趣旨を逸脱しない限りにおいて任意に設定することが可能である。
【００１４】
図１（ａ）に示す本実施形態に係る点字タイル１Ａは、日本工業規格ＪＩＳ  Ｔ  ９２５１に合致する点状円形突起４を有する警告標識としたものである。点字タイル１Ａは、厚みのある平板からなる基板３を有する。基板３の一片の長さＬは３０ｃｍ以上の大きさで形成されている。
【００１５】
本実施形態の基板３となる樹脂製シートは、ＭＭＡ樹脂を主成分としていて、骨材として廃セラミックを混入して成形されたものである。ＭＭＡ樹脂は、メチルメタクリレートを主成分とするアクリル樹脂である。樹脂製シートは、熱可塑性アクリル樹脂を成形して得られたものであってもよい。
【００１６】
基板３の表面には、表面から突出した複数の点状円形突起４（突起部）が、所定の間隔をあけて配列するように配設されている。点状円形突起４の数は２５（５×５）点であるが、この数は点字タイル１Ａの大きさに応じて増やすことができる。
【００１７】
点状円形突起４は、その断面が図２（ｂ）、（ｃ）に示すように、ハーフドーム型で形成されていて、点状円形突起４のそれぞれの上面は平面になっている。なお、上面とその周辺の斜面との交差角には、つまずきや角の欠落を抑止するため２ｍｍ以下のＲが形成されている。
【００１８】
点字タイル１Ａの中心に位置する５つの蓄光入り点状円形突起４ａには、その頂部に蓄光層６が形成されている。蓄光層６には、透明樹脂に微粉末の蓄光材を混入したものが用いられている。
【００１９】
蓄光層６に使用される蓄光材は、周囲の光を蓄えて自然発光を可能とするものであり、無機の化合物で、日中は太陽光を吸収して蓄積し、暗闇になったときに放出し発光する性質をもつ。蓄光材として、アルミン酸ストロンチューム系又はホウ酸アルミン酸ストロンチューム系の蓄光材が使用され、例えば、アルカリ土類アルミン酸塩でユーロピウム、ジスプロシウムといった希土類元素を添加することで蓄光性を示す。
【００２０】
蓄光（夜光）層を用いる利点としては、発光のために電源を必要としないことである。すなわち、電機や電池が不要で、暗闇の中でも発光する。そのため、災害時、特に停電時には極めて有用である。
【００２１】
なお、考案者の実験により、蓄光性能として、屋外標識の規格値（日本工業規格ＪＩＳ  Ｚ  ９０９８  Ｉ類）を満たしていることを確認している。具体的には、励起時間を６０分（キセノンランプ紫外線強度４０μＷ／ｃｍ２で６０分間照射）とした場合、７２０分後輝度の性能として３ｍｃｄ／ｍ２以上、１０ｍｃｄ／ｍ２未満となる性能を確保している。
【００２２】
図１（ｂ）に示す点字タイル１Ｂは、中心に位置する９つの点状円形突起４に蓄光層６が形成されている。蓄光入り点状円形突起４ａの場所は任意であり、図１（ａ）、図１（ｂ）に示す配置だけでなく、基板３の周囲に沿って蓄光入り点状円形突起４ａを配置してもよい。また、全ての点状円形突起４を、蓄光入り点状円形突起４ａとしても構わない。複数の点状円形突起４に対する蓄光入り点状円形突起４ａの割合を増減させることにより、製造コストを調整することができる。すなわち、蓄光入り点状円形突起４ａの割合を高くすれば製造コストが高くなり、その割合を低くすることにより製造コストを低くすることができる。
【００２３】
図３及び図４を用いて本実施形態の別例について説明する。図３（ａ）に示す点字タイル２Ａは、日本工業規格ＪＩＳ  Ｔ  ９２５１に合致する線状短冊形突起５を有する誘導標識としたものである。点字タイル２Ａは、図１（ａ）に示す点字タイル１Ａと同様、平板からなる基板３を有するが、基板３の短辺の長さＬ１が３０ｃｍ、長辺の長さＬ２が短辺の２倍である６０ｃｍとして形成されている。基準となる大きさの二枚分合わせた長尺なものとすることにより、より広い面積を一度に施工でき、敷設に必要な作業時間を大幅に短縮することができる。また、撤去作業も２枚分まとめてできるため作業時間を短縮することができる。
【００２４】
点字タイル２Ａの基板３の表面には、表面から突出した複数の線状短冊形突起５（突起部）が、所定の間隔をあけて、互いに平行になるよう配設されている。線状短冊形突起５の数は８（４×２）本であるが、この数は点字タイル２Ａの大きさに応じて増やすことができる。なお、基準となる３０ｃｍ×３０ｃｍの大きさでは、線状短冊形突起５を４本以上設けることが規格で定められている。
線状短冊形突起５の断面は、図４（ｂ）に示すように、ハーフドーム型で形成されていて、線状短冊形突起５のそれぞれの上面は平面になっている。また、点状円形突起と同様、上面とその周辺の斜面との交差角には、つまずきや角の欠落を抑止するため２ｍｍ以下のＲが形成されている。
【００２５】
図３（ａ）に示す点字タイル２Ａでは、基板３に配置された８本の線状短冊形突起５のうち、内側に位置する４本が、蓄光入り線状短冊形突起５ａである。また、図３（ｂ）に示す点字タイル２Ｂに示すように、内側に位置する２本を蓄光入り線状短冊形突起５ａとしてもよい。また、全ての線状短冊形突起５を蓄光入り線状短冊形突起５ａとしてもよい。基板３に設けた線状短冊形突起５に対する蓄光入り線状短冊形突起５ａの割合を増減させることにより製造コストを調整することができる。
【００２６】
蓄光入り線状短冊形突起５ａには、図４（ｂ）に示すように、突起の頂部に蓄光層６が形成されている。蓄光層６には、透明樹脂に微粉末の蓄光材を混入したものが用いられている。
【００２７】
このように、誘導標識である点字タイル２Ａ、２Ｂの線状短冊形突起５に蓄光層６を設けることで、停電等で暗闇になっても、蓄光入り線状短冊形突起５ａが線状に光るため、誘導路の方向を示すようになる。
【００２８】
なお、本実施形態の点字タイル１Ａ〜２Ｂはアクリル系樹脂を含んで形成される樹脂製シートからなる。そのため、工場等で予め点字タイルを成形することができ、施工現場において型枠を使用するなどの煩雑な作業を行うことなく、点字タイルの敷設を可能としている。そのため、点字タイル１Ａ〜２Ｂを適用する場所としては、歩道や車道等の路上、各種通路、駅のプラットホーム等の外面など幅広く選択することができる。
なお、誘導路として配置する場合、全ての点字タイルを蓄光入り点字タイルとする必要はなく、例えば５枚に１枚の割合で、ポイントとして使用するよう配置してもよい。
【００２９】
点字タイル１Ａ〜２Ｂの成形方法について説明する。まず、点字タイル１Ａ〜２Ｂの形に合わせた金型を準備する。蓄光材を含む樹脂を、蓄光層６を設ける部分のくぼみに一定の厚みになるよう流し込む。蓄光材を含む樹脂が硬化した後、基板３となる樹脂を金型に流し込み、樹脂が硬化することにより完成する。
【００３０】
本実施形態では、点字タイル１Ａ〜２Ｂとして、基板３の樹脂製シートの上面に複数の点状円形突起４又は線状短冊形突起５が突設されている。しかしながら、突起部の形状は、円柱状、半球状、平面視で正方形又は長方形の四角柱状といった任意の形状とすることもできる。基板３の上面にこのような突起部を突設させることにより好適な点字タイルとしてもよい。
【００３１】
また、蓄光層６を保護したり摩耗強度を向上させたりするために、点字タイル１Ａ〜２Ｂの表面に摩耗強度の強い樹脂でコーティング又はフィルム・シートを溶着、接着してもよい。
また、本実施形態の点字タイル１Ａ〜２Ｂでは、基板３及び点状円形突起４及び線状短冊形突起５を樹脂製としているが、これらはコンクリート製、陶器製、合成ゴム製又は熱可塑性エラストマー製であってもよく、蓄光層６を突起部の頂部に塗布することで形成してもかまわない。
【符号の説明】
【００３２】
１Ａ、１Ｂ    点字タイル
２Ａ、２Ｂ    点字タイル
３    基板
４    点状円形突起（突起部）
４ａ    蓄光入り点状円形突起
５    線状短冊形突起（突起部）
５ａ    蓄光入り線状短冊形突起
６    蓄光層
【図１】
0003229683.tif 000003
【図２】
0003229683.tif 000004
【図３】
0003229683.tif 000005
【図４】
0003229683.tif 000006